(57)【要約】【課題】天井面や壁面などの設置面に取り付けたベースに機器ケーシングを、外れにくい状態に簡単に取り付けることを可能とする。【解決手段】ベース３の収納部３Ｄは、筒状の側面壁部３Ｂとそれの上側に設けられる上面壁部３Ｃとを有する。側面壁部３Ｂに被係合穴部２１が形成され、上面壁部３Ｃに、収納部３Ｄ内に先端部が突出する複数の弾性舌状片３Ｃａが形成される。ケーシング１１は、側面板部１１Ａａに被係合穴部２１に係脱可能に係合する係合突部１１Ａａａが形成され、ケーシング１１がベース３に取り付けられた状態で、ケーシング１１が弾性舌状片３Ｃａによって下方に弾性付勢され、係合突部１１Ａａａが被係合穴部２１の下辺部２１Ｂ側に押し付けられる。【選択図】  図３
2010074684.tif 000002
【特許請求の範囲】
【請求項１】
天井面や壁面などの設置面に、合成樹脂材料からなり収納部を有するベースが取り付けられ、このベースの収納部内に電子機器の機器ケーシングが挿入された状態で前記機器ケーシングがベースに取り付けられている電子機器の機器ケーシング取付構造であって、
前記ベースの収納部は、筒状の側面壁部とそれの上側に設けられる上面壁部とを有し、前記側面壁部に被係合部または係合突部が形成されるとともに、前記上面壁部に、前記収納部内に先端部が突出する複数の弾性舌状片が形成される一方、
前記機器ケーシングは、前記被係合部または係合突部に係脱可能に係合する係合突部または被係合部が形成された筒状の側面板部を有し、
前記機器ケーシングが前記ベースに取り付けられた状態で、前記機器ケーシングが前記弾性舌状片によって下方に弾性付勢され、前記係合突部が前記被係合部の下辺部側に押し付けられていることを特徴とする電子機器の機器ケーシング取付構造。
【請求項２】
前記被係合部は、上下方向の長さが長い第１の部分と、この第１の部分上側において周方向に連通して形成され上下方向の長さが第１の部分よりも短い第２の部分とを備え、
前記第２の部分の第１の部分側に、第２の部分から第１の部分への移動を規制する規制突起部が設けられていることを特徴とする請求項１記載の電子機器の機器ケーシング取付構造。
【請求項３】
前記機器ケーシングは、下側開口を有する中空の上側部材と、前記下側開口を閉塞する円板形状の下側部材とを備え、
前記上側部材は、前記筒状の側面板部の上側部分を上面板部にて閉塞することで構成され、
前記機器ケーシングの、前記ベースへの取付状態で、前記下側部材の一部のみ前記ベース外に位置していることを特徴とする請求項１または２記載の電子機器の機器ケーシング取付構造。
【請求項４】
前記ベースの側面壁部は、それの下縁部分付近に、前記機器ケーシングの下側部材の周縁部が収納される係合凹部が形成されていることを特徴とする請求項３記載の電子機器の機器ケーシング取付構造。
【発明の詳細な説明】
【技術分野】
【０００１】
本発明は、アンテナ装置などの電子機器の機器ケーシング取付構造に関するものである。
【背景技術】
【０００２】
従来、アンテナ装置などの電子機器は、取り付け作業や取り外し作業における作業性の向上及び安全性の向上を図ることを目的として、引っかけ手段でアンテナベースにアンテナ本体を引っかけた上で、ねじによりアンテナ本体をアンテナベースに固定するようにしたものは知られている（例えば特許文献１参照）。
【０００３】
また、アンテナ本体とアンテナカバーとに、互いに螺合する螺合部を形成し、アンテナ本体とアンテナカバーとで天井面や壁面などの造営面を挟み込んだ状態で互いの螺合部を螺合させていくことにより、アンテナ本体とアンテナカバーとを造営面に取り付けるようにしたものも知られている（例えば特許文献２参照）。
【０００４】
さらに、天井面などの設置面に固定されたベースの下面に係止片を設ける一方、カバーの上面となる接地板に引掛金具を設け、前記係止片に前記引掛金具を着脱可能に係合することで、ベースにアンテナ本体を取り付けるようにすることも知られている（例えば特許文献３参照）。
【特許文献１】特開平９−２３８０１１号公報
【特許文献２】特開平９−２３８０１２号公報
【特許文献３】特開平８−３３０８２２号公報
【発明の開示】
【発明が解決しようとする課題】
【０００５】
特許文献１に記載のものは、ねじで止める構造であるため、取り付け作業が煩雑で、また、外観的にもねじが見えるので、見栄えを損なうという欠点がある。特許文献２に記載のものでは、アンテナカバーを薄型化すると、カバー外周部が保持しにくくなり、取り付け作業や取り外し作業を容易に行えなくなる。特許文献３に記載のものは、天井面などの設置面に固定されたベースに対しアンテナ本体を回動して、係合片と引掛金具とを単に係合させて取り付けるようにしているだけであるので、前記係合させる方向とは反対方向に前記アンテナ本体を回動させる力が作用すると、係合が解除されてしまうおそれがある。
【０００６】
この発明は、天井面や壁面などの設置面に取り付けたベースに対し、電子機器の機器ケーシングを、外れにくい状態に簡単に取り付けることができるアンテナ装置などの電子機器の機器ケーシング取付構造を提供する。
【課題を解決するための手段】
【０００７】
請求項１の発明は、天井面や壁面などの設置面に、合成樹脂材料からなり収納部を有するベースが取り付けられ、このベースの収納部内に電子機器の機器ケーシングが挿入された状態で前記機器ケーシングがベースに取り付けられている電子機器の機器ケーシング取付構造であって、前記ベースの収納部は、筒状の側面壁部とそれの上側に設けられる上面壁部とを有し、前記側面壁部に被係合部または係合突部が形成されるとともに、前記上面壁部に、前記収納部内に先端部が突出する複数の弾性舌状片が形成される一方、前記機器ケーシングは、前記被係合部または係合突部に係脱可能に係合する係合突部または被係合部が形成された筒状の側面板部を有し、前記機器ケーシングが前記ベースに取り付けられた状態で、前記機器ケーシングが前記弾性舌状片によって下方に弾性付勢され、前記係合突部が前記被係合部の下辺部側に押し付けられていることを特徴とする。ここで、被係合部が、ベースの側面壁部及び機器ケーシングの側面板部の一方に形成されると、他方に係合突部が形成される。また、被係合部には、ベースの側面壁部または機器ケーシングの側面板部を貫通する穴のほか、凹部も含まれる。
【０００８】
このようにすれば、前記機器ケーシングが前記ベースに取り付けられた状態で、前記機器ケーシングが前記弾性舌状片によって下方に弾性付勢され、前記係合突部が前記被係合部の下辺部側に押し付けられているので、機器ケーシングの取り付けのための構造に、ねじや新たな部品などの別部材を必要とせず、その弾性舌状片（合成樹脂材料）の弾性力（樹脂弾性力）を利用して、係合突部と被係合部とを係合させ、ベースに機器ケーシング（電子機器）を取り付けることができる。特に、弾性舌状片（合成樹脂材料）の弾性力（樹脂弾性力）を利用しているので、片手で下側から支持するだけで取り付け作業や取り外し作業を行うことができ、安全性の点でも有利である。
【０００９】
よって、電子機器の機器ケーシングのうち、取付後のベース外に位置する部分（露出部分）が非常に薄く、保持しづらい形状の場合も、工具を用いることなく、機器ケーシングを片手で簡単にベースに取り付けたり、取り外したりすることができる。また、ベースの収納部を設置面（天井面、壁面など）内への埋め込み構造にするなどの工夫で、機器ケーシング（電子機器）のうち、設置面外への露出部分の薄型化が可能である。
【００１０】
請求項２に記載のように、前記被係合部は、上下方向の長さが長い第１の部分と、この第１の部分上側において周方向に連通して形成され上下方向の長さが第１の部分よりも短い第２の部分とを備え、前記第２の部分の第１の部分側に、第２の部分から第１の部分への移動を規制する規制突起部が設けられていることが望ましい。
【００１１】
このようにすれば、機器ケーシングがベースに取り付けられた状態では、前記機器ケーシングが弾性舌状片によって下方に常時弾性付勢され、前記係合突部が前記被係合部の下辺部側に押し付けられているので、第２の部分の第１の部分側に位置する規制突起部によって、係合突部の、第２の部分から第１の部分への移動が確実に規制され、その規制状態で機器ケーシングがベースに取り付けられる。また、弾性舌状片の弾性力に抗して機器ケーシングを少し持ち上げれば、規制突起部による規制を受けることなく、係合突部を、第２の部分から第１の部分へ移動させることができ、ベースから機器ケーシングを取り外すことができる。
【００１２】
よって、取り付け、取り外しの容易性を確保して、機器ケーシングがベースから不用意に外れるおそれがなくなる。
【００１３】
請求項３に記載のように、前記機器ケーシングは、下側開口を有する中空の上側部材と、前記下側開口を閉塞する円板形状の下側部材とを備え、前記上側部材は、前記筒状の側面板部の上側部分を上面板部にて閉塞することで構成され、前記機器ケーシングの、前記ベースへの取付状態で、前記下側部材の一部のみ前記ベース外に位置している構成とすることができる。
【００１４】
このようにすれば、機器ケーシングをベースに取り付けた状態では、機器ケーシングのうち下側部材の一部のみが前記ベース外に位置しているだけであるので、コンパクト化、外観の向上を図る上で有利となる。
【００１５】
請求項４に記載のように、前記ベースの側面壁部は、それの下縁部分付近に、前記機器ケーシングの下側部材の周縁部が収納される係合凹部が形成されていることが望ましい。
【００１６】
このようにすれば、機器ケーシングの取り付け、取り外し作業時に、弾性舌状片の弾性力に抗して機器ケーシングを持ち上げる際に、係合凹部内に下側部材（機器ケーシング）の周縁部を収納させた状態では、係合突部は被係合部の上辺部に当たり、規制突起部によって規制されることなく、第１の部分から第２の部分へ、あるいは第２の部分から第１の部分へ移動できるようになっている。
【発明の効果】
【００１７】
本発明は、上記のように、機器ケーシングがベースに取り付けられた状態で、前記機器ケーシングが弾性舌状片によって下方に弾性付勢され、前記係合突部が前記被係合部の下辺部側に押し付けられるようにしているので、機器ケーシングの取り付けのための構造に、ねじや新たな部品などの別部材を必要とせず、その弾性舌状片（合成樹脂材料）の弾性力（樹脂弾性力）を利用して、機器ケーシングの係合突部とベースの被係合部とを係合させ、ベースに機器ケーシング（電子機器）を取り付けることができる。特に、弾性舌状片（合成樹脂材料）の弾性力（樹脂弾性力）を利用しているので、工具を必要とせず、片手で下側から支持するだけで簡単に取り付け作業や取り外し作業を行うことができ、安全性の点でも有利である。
【発明を実施するための最良の形態】
【００１８】
以下、本発明の実施の形態を図面に沿って説明する。
【００１９】
図１は本発明の一実施の形態であるアンテナ装置（電子機器）の平面図、図２は同底面図、図３は図１のIII-III線における断面図である。
【００２０】
図１〜図３に示すように、アンテナ装置１は、アンテナ本体２と、このアンテナ本体２を保持するベース３とから構成されている。ベース３は、天井面、壁面などの設置面Ｓに取付固定される。
【００２１】
アンテナ本体２は、図４に示すように、中空円盤形状のケーシング１１（機器ケーシング）を有する。このケーシング１１は、円筒状の側面板部１１Ａａ及びその側面板部１１Ａａの上側部分を閉塞する上面板部１１Ａｂを有する中空の上側部材１１Ａと、側面板部１１Ａａの下側開口を閉塞する円板形状の下側部材１１Ｂとを備える。
【００２２】
この下側部材１１Ｂは、側面板部１１Ａａの外径より大きい外径を有し、上側外周縁付近に環状の係合溝部１１Ｂａが形成されている。そして、下側部材１１Ｂの係合溝部１１Ｂａに、上側部材１１Ａの側面板部１１Ａａの下縁が嵌合され、その状態で３本のねじ１２を用いて上側部材１１Ａと下側部材１１Ｂとを一体に結合して、ケーシング１１が構成される。このケーシング１１の内部に、アンテナ素子基板１３、給電基板１４、基板ベース板１５、アース板１６、同軸ケーブル１７などの各種の電装部品が、所定の位置関係で収納されている。
【００２３】
また、側面板部１１Ａａの外周面には、周方向に細長く延びている１対の係合突部１１Ａａａ，１１Ａａａが形成されている。これら１対の係合突部１１Ａａａ，１１Ａａａは、直径方向において、対向する位置関係（すなわち１８０°角度間隔）で形成されている。上面板部１１Ａｂの上部には、同軸ケーブル１７を外部に導き出すための貫通孔１１Ａｂａが設けられている。
【００２４】
ベース３は、図５及び図６に示すように、いわゆるハット（帽子）形状をしており、下側に位置する環状のフランジ部３Ａと、このフランジ部３Ａの内周縁から上方に延びる円筒状の側面壁部３Ｂと、この側面壁部３Ｂの上端に設けられる上面壁部３Ｃとを備える。この側面壁部３Ｂと上面壁部３Ｃとによって、ケーシング１１（アンテナ本体２）の上側部材１１Ａの部分を収納する収納部３Ｄを構成している。
【００２５】
側面壁部３Ｂは、下縁部分付近を除き、内径が、上側部材１１Ａ（ケーシング１１）の側面板部１１Ａａの外径より少し大きく形成され、側面壁部３Ｂ内に上側部材１１Ａが無理なく、挿入あるいは収納されるようになっている。側面壁部３Ｂの下縁部分付近、つまりフランジ部３Ａとの連接部分付近には、アンテナ本体２の取り付け、取り外し作業時に、後述する弾性舌状片３Ｃａの弾性力に抗してアンテナ本体２を持ち上げる際に、下側部材１１Ｂ（ケーシング１１）の周縁部が収納される係合凹部３Ｂａが形成されている。アンテナ本体２を持ち上げて、係合凹部３Ｂａ内にアンテナ本体２を収納させた状態では、係合突部１１Ａａａは被係合穴部２１の上辺部２１Ａに当たり、規制突起部２１ｃによって規制されることなく、第１の部分２１ａから第２の部分２１ｂへ、あるいは第２の部分２１ｂから第１の部分２１ａへ移動できるようになっている。このような移動を可能とするために、図３に示す取付状態において、係合凹部３Ｂａの上面と下側部材１１Ｂの上面と間に間隔ΔＬが形成されるようになっており、その間隔ΔＬは、第２の部分２１ｂの上下方向の長さＨ２（図５参照）よりも長くなっている。
【００２６】
よって、弾性舌状片３Ｃａの先端部は、係合突部１１Ａａａが被係合穴部２１（第２の部分２１ｂ）の下辺部２１Ｂに接触している状態でも、下辺部２１Ｂ側に係合突部１１Ａａａを押し付ける付勢力を付与できる程度、収納部下方に突出している。
【００２７】
そして、側面壁部３Ｂに、１対の被係合穴部２１が直径方向において対向する位置関係（すなわち１８０°角度間隔）で形成されている。よって被係合穴部２１と係合突部１１Ａａａとが対応する位置関係にあり、被係合穴部２１に係合突部１１Ａａａが係脱可能に係合されるようになっている。
【００２８】
この被係合穴部２１は、上下方向の長さＨ１が長い第１の部分２１ａと、この第１の部分２１ａ上側において周方向に連通して形成され上下方向の長さＨ２が第１の部分２１ａよりも短い第２の部分２１ｂとを備える。第２の部分２１ｂの第１の部分２１ａ側には、第２の部分２１ｂから第１の部分２１ａへの不用意な移動を規制する規制突起部２１ｃが下辺部２１Ｂ側から上辺部２１Ａ側に向けて突出して設けられている。第１及び第２の部分２１ａ，２１ｂは、周方向の長さ（幅）が係合突部１１Ａａａの周方向長さとほぼ等しく形成され、規制突起部２１ｃが形成する隙間ΔＨは、第２の部分２１ｂの上下方向の長さＨ２よりも短いものの、係合突部１１Ａａａの高さＨ３とほぼ等しいか少し長くなっている。よって、被係合穴部２１の第１及び第２の部分２１ａ，２１ｂの上下方向の長さＨ１，Ｈ２は、係合突部１１Ａａａの高さＨ３よりも十分大きな寸法となっている。
【００２９】
よって、被係合穴部２１は、アンテナ本体２をベース３内に所定の位置まで挿入した状態で、鉛直軸を回転軸として所定角度（例えば約２０°程度）回転させることで、外れにくく取り付けることができる横穴として形成されている。
【００３０】
また、上面壁部３Ｃには、複数の弾性舌状片３Ｃａが、円周方向に等角度間隔で一体に設けられている。この各弾性舌状片３Ｃａは、基端部が上面壁部３Ｃに連接され先端部が収納部内方に延びる切り起こし状に形成され、かつベース３は合成樹脂材料で成形されていることから、弾性舌状片３Ｃａは、一定の弾性力（樹脂弾性）を有する。よってアンテナ本体２を持ち上げ、被係合穴部２１に係合突部１１Ａａａを係合させて取り付ける際に、また取り付けた後にも、弾性舌状片３Ｃａが適度にたわみながらアンテナ本体２上部（上面板部１１Ａｂ）の面と接触することで、その面に適度な圧力を上側から作用させる機能を発揮するようになっている。
【００３１】
そして、アンテナ本体２をベース３に取り付けた状態では、係合突部１１Ａａａが第２の部分２１ｂに係合し、複数の弾性舌状片３Ｃａによってアンテナ本体２がベース３に対しバランスよく下方に押圧された状態にあるので、規制突起部２１ｃによって、アンテナ本体２がベース３に対し相対回転して係合突部１１Ａａａが第２の部分２１ｂから第１の部分２１ａに移動するのが規制される。この場合、規制突起部２１ｃが、アンテナ本体２の回転の戻り止めとして機能しているのである。
【００３２】
続いて、アンテナ装置１を、設置面（例えば天井面）に取り付ける場合について説明する。
【００３３】
まず、ベース３の収納部３Ｄを、設置面Ｓの貫通穴Ｓ１（図３参照）に挿入して、フランジ部３Ａのみ設置面Ｓの下側に位置するようにして、固定する。
【００３４】
この取り付けは、設置面Ｓを形成する、例えば天井材に、ねじなどを用いて、ベース３を固定すればよいが、例えば図７〜図９に示すように、側面視逆Ｌ字形状の１対の取付部材３１，３１を用いて、ベース３のフランジ部３Ａと取付部材３１とで天井材を挟持することで固定することも可能である。なお、この場合には、ベース３の収納部３Ｄ上に、取付部材３１の回り止めのための突出片３Ｃｃあるいはそれに類似の回り止め部を設ける必要がある。
【００３５】
具体的には、取付部材３１は、ねじ棒部材３２が螺合される雌ねじ部３１Ａａが形成される水平部３１Ａと、この水平部３１Ａに連接され鉛直方向に延びる鉛直部３１Ｂとを備えるので、まず、各取付部材３１の鉛直部３１Ｂが収納部３Ｄの上に位置する状態として、ベース３の収納部３Ｄを、設置面Ｓの貫通穴Ｓ１内に挿入する。この挿入により、フランジ部３Ａのみ設置面Ｓの下側に位置する状態とすることができる（図７（ａ）〜（ｃ）参照）。この状態で、ベース３を貫通し取付部材３１（水平部３１Ａの雌ねじ部３１Ａａ）に螺合するねじ棒部材３２を回転すると、取付部材３１が、ねじ棒部材３２の軸線を回転軸として、鉛直部３１Ｂが収納部３Ｄ上からフランジ部３Ａ上に回転移動し、取付部材３１が突出片３Ｃｃに接触して回転が規制される（図８（ａ）（ｂ）参照）。これにより、取付部材３１が回転できなくなるので、ねじ棒部材３２の回転により取付部材３１はその状態を維持して下方に変位し、最終的には取付部材３１の鉛直部３１Ｂとフランジ部３Ａとの間で天井材を締め付けることになる（図９（ａ）（ｂ）参照）。
【００３６】
それから、アンテナ本体２のケーシング１１のうち下側部材１１Ｂを保持し、アンテナ本体２の係合突部１１Ａａａがベース３の被係合穴部２１に対応する位置関係になるように、ベース３内にアンテナ本体２を挿入する。
【００３７】
この状態では、係合突部１１Ａａａが被係合穴部２１の第１の部分２１ａに係合挿入される。このとき、第１の部分２１ａは、上下方向において十分な長さ（高さ）を有するので、係合突部１１Ａａａが第１の部分２１ａに無理なく係合される。
【００３８】
この係合突部１１Ａａａが被係合穴部２１の第１の部分２１ａに挿入されている状態から、アンテナ本体２を鉛直軸を回転軸として、所定角度（例えば約２０°程度）回転させると、係合突部１１Ａａａが、規制突起部２１ｃによって規制されることなく、第２の部分２１ｂに移動することになる。第２の部分２１ｂに移動した時点で、作業者による、アンテナ本体２の持ち上げ（支持）を解除する。
【００３９】
この挿入から、係合を経て、アンテナ本体２の持ち上げ（支持）を解除するまでの間、下側部材１１Ｂ（ケーシング１１）を、それの周縁部が係合凹部３Ｂａに収納されるまで持ち上げることで行われる。そして、この持ち上げ状態ではベース３の弾性舌状片３Ｃａがアンテナ本体２の上面板部１１Ａｂに弾性接触し、アンテナ本体２に対し上側から一定の圧力が作用しているので、下側部材１１Ｂを作業者は下側から軽く支持するだけで、下側部材と作業者の手との間に適度な摩擦力が作用し、作業者の手の上でアンテナ本体２の位置がずれたりすることがなく、前述した挿入動作や回転動作を簡単に行うことができ、取り付け作業性に優れる。
【００４０】
そして、作業者による、アンテナ本体２の持ち上げ（支持）を解除すると、係合突部１１Ａａａが、第２の部分２１ｂ（被係合穴部２１）において、弾性舌状片３Ｃａの弾性力によって下方に移動し、下辺部２１Ｂ側に押し付けられる。この状態では、係合突部１１Ａａａは、規制突起部２１ｃによって第１の部分２１ａ側への移動が規制される、それとともに、弾性舌状片３Ｃａによる弾性力でアンテナ本体２が下方に押圧され、係合突部１１Ａａａが第２の部分２１ｂの下辺部２１Ｂ側に押し付けられた状態が維持されるので、上下方向のがたつきも抑えられる。ここで、アンテナ本体２のベース３への取付時において、第１の部分２１ａが、係合突部１１Ａａａの挿入が容易な挿入部として機能し、第２の部分２１ｂは、係合突部１１Ａａａの支持が安定した支持部として機能する。
【００４１】
このように、弾性舌状片３Ｃａの弾性力を利用して、アンテナ本体２の係合突部１１Ａａａがベース３の被係合穴部２１（第１の部分２１ａ）に対応する位置関係になるように、ベース３内にアンテナ本体２を挿入し、所定角度だけ鉛直軸回りに回転するだけで取り付けることができるので、ケーシング１１（アンテナ本体２）の下側部材１１Ｂを下側から軽く保持するだけで作業ができる。よって、アンテナ本体２のケーシング１１のうちベース３外に位置することになる部分（下側部材１１Ｂ）が薄い、滑りやすい表面状態の材質などの理由で弱い力でないと保持できないような形状や材質であっても、片手で取り付け作業や取り外し作業を行うことができる。被係合穴部２１の各部分２１ａ，２１ｂの上下方向の長さ（高さ）を大きくとることで、小さな回転力で回転させ、取り付けることができ、保持力が弱くとも取り付け可能な構造となる。また、弾性舌状片３Ｃａによる圧力は、がたつきを抑えるだけではなく、アンテナ本体２を回転させるときに、作業者の手と保持部との間の摩擦力を増大させ、弱い保持力を増加させる役割も担っている。
【００４２】
前記実施の形態においては、設置面Ｓ（天井面）に貫通穴Ｓ１を設け、その貫通穴を利用してベース３を取り付けるようにしているが、そのような貫通穴を設けることができない場合には、図１０〜図１２に示すように、設置面（天井下面）に直接取り付けるようにすることも可能である。
【００４３】
この場合には、前述した実施の形態の場合と、アンテナ本体２は実質的に同一の構造であるが、ベース４１の形状が異なっている。つまり、ベース４１の収納部３Ｄの上面壁部３Ｃに４つの取付孔３Ｃｄが設けられ、その取付孔３Ｃｄに下側からねじ４２を挿入することで天井面Ｓにベース４１が固定されるようになっている。また、収納部３Ｄの側面壁部３Ｂの下端縁には、フランジ部ではなく、下方になるほど径が小さくなるテーパ筒状部４１ａの下端縁部が連接されている。テーパ筒状部４１ａの上端縁部は、取り付けられた状態で、天井下面に接触するようになっている。つまり、収納部３Ｄの外側には、テーパ筒状部４１ａが配置されている。
【００４４】
そして、弾性舌状片３Ｃａを有する収納部３Ｄ内にアンテナ本体２が挿入され、回転することで取り付ける点や、ベース４１下端よりの、（アンテナ本体２の）ケーシング１１の突出量が少なくても、取付作業性を損なわない点は、前記実施の形態と同様である。
【００４５】
前記実施の形態では、ケーシング１１の係合突部１１Ａａａが係脱可能に係合する被係合部を、被係合穴部２１としているが、本発明はそれに限定されるものではなく、内周面側に形成される被係合凹部とすることも可能であるし、係合穴部と係合凹部とを組み合わせてもよい。
【００４６】
また、前記実施の形態では、収納部３Ｄ（ベース３）の側面壁部３Ｂ及び上側部材１１Ａ（機器ケーシング１１）の側面板部１１Ａａは円筒状としているが、それらを、樹脂弾性を利用して相対回転できる多角筒状とすることも可能である。この場合、被係合部の第１及び第２の部分を、それぞれ、複数の面壁部を有する多角筒状の側面壁部または複数の面板部を有する多角筒状の側面板部の、隣り合う面壁部または面板部に形成し、相対回転させる力を作業者が作用させないと相対回転しないようにすることで、前述した実施の形態における規制突起部を省略することができる。
【図面の簡単な説明】
【００４７】
【図１】図１は本発明の一実施の形態であるアンテナ装置（電子機器）の平面図である。
【図２】同底面図である。
【図３】図１のIII-III線における断面図である。
【図４】アンテナ本体の斜視図である。
【図５】ベースを側方から見た斜視図である。
【図６】ベースを下側から見た斜視図である。
【図７】（ａ）（ｂ）（ｃ）はそれぞれ前記アンテナ装置を天井面に取り付ける手順の説明図である。
【図８】（ａ）（ｂ）はそれぞれ前記アンテナ装置を天井面に取り付ける手順の説明図である。
【図９】（ａ）（ｂ）はそれぞれ前記アンテナ装置を天井面に取り付ける手順の説明図である。
【図１０】別の実施の形態であるアンテナ装置を示し、（ａ）は平面図、（ｂ）は側面図、（ｃ）は底面図である。
【図１１】別の実施の形態であるアンテナ装置のベースを示し、（ａ）は上側から見た斜視図、（ｂ）は下側から見た斜視図である。
【図１２】別の実施の形態であるアンテナ装置の縦断面図である。
【符号の説明】
【００４８】
１    アンテナ装置
２    アンテナ本体
３    ベース
３Ａ    フランジ部
３Ｂ    側面壁部
３Ｃ    上面壁部
３Ｃａ    弾性舌状片
３Ｄ    収納部
１１    機器ケーシング
１１Ａ    上側部材
１１Ａａ    側面板部
１１Ａａａ    係合突部
１１Ａｂ    上面板部
１１Ｂ    下側部材
２１    被係合穴部
２１Ａ    上辺部
２１Ｂ    下辺部
２１ａ    第１の部分
２１ｂ    第２の部分
２１ｃ    規制突起部
【図１】
2010074684.tif 000003
【図２】
2010074684.tif 000004
【図３】
2010074684.tif 000005
【図４】
2010074684.tif 000006
【図５】
2010074684.tif 000007
【図６】
2010074684.tif 000008
【図７】
2010074684.tif 000009
【図８】
2010074684.tif 000010
【図９】
2010074684.tif 000011
【図１０】
2010074684.tif 000012
【図１１】
2010074684.tif 000013
【図１２】
2010074684.tif 000014